(57)【要約】  コンテンツ毎の明るさに対する視聴者の感じ方が大きく変化することを防ぐ技術を提供する。画像処理装置（１）は、送信用映像信号におけるパラメータから映像特徴量を算出する算出部（６）と、前記算出部が算出した前記映像特徴量が所定の基準値に近づくように、前記パラメータを調整する調整部（８）と、を備えている。
2018003665.tif 000002
【特許請求の範囲】
【請求項１】
送信用映像信号におけるパラメータから映像特徴量を算出する算出部と、
前記算出部が算出した前記映像特徴量が所定の基準値に近づくように、前記パラメータを調整する調整部と、を備えていることを特徴とする、画像処理装置。
【請求項２】
前記パラメータは、輝度値であり、
前記映像特徴量は、感覚輝度値であることを特徴とする、請求項１に記載の画像処理装置。
【請求項３】
前記算出部は、前記感覚輝度値を、前記送信用映像信号の平均輝度値、最大輝度値、輝度値の中央値、およびＭＡＸＦＡＬＬの少なくとも何れかを参照して算出することを特徴とする、請求項２に記載の画像処理装置。
【請求項４】
前記算出部は、前記送信用映像信号の表す表示映像のうち、
平均輝度値が第１の閾値以下の画面と、
平均輝度値が第２の閾値以上の画面と、
のうち少なくともいずれか一方を除外して、前記感覚輝度値を算出することを特徴とする請求項２または３に記載の画像処理装置。
【請求項５】
前記感覚輝度値は、第１の平均輝度値であることを特徴とする、請求項２〜４の何れか１項に記載の画像処理装置。
【請求項６】
前記算出部は、前記送信用映像信号に含まれる複数のフレームにおいて、フレーム毎の平均輝度値である第２の平均輝度値をそれぞれ算出し、前記複数のフレームについて前記第２の平均輝度値を平均することにより、前記第１の平均輝度値を算出することを特徴とする、請求項５に記載の画像処理装置。
【請求項７】
前記算出部は、連続した複数のフレームにおいて、フレーム毎の平均輝度値である第２の平均輝度値を算出し、前記第２の平均輝度値の移動平均値を算出することにより、前記第１の平均輝度値を算出し、
前記調整部は、前記算出部が算出した前記第１の平均輝度値が前記所定の基準値に近づくように、前記連続した複数のフレームの後のフレームにおける輝度値を調整することを特徴とする、請求項５に記載の画像処理装置。
【請求項８】
前記算出部は、前記複数のフレームにおける輝度値から、所定値以上の輝度値を除外して第２の平均輝度値を算出することを特徴とする、請求項６または７に記載の画像処理装置。
【請求項９】
前記調整部は、前記算出部が算出した前記第１の平均輝度値が所定の基準値に近づくように、ガンマ調整、ゲイン調整およびオフセット調整の少なくとも何れかにより、前記輝度値を調整する、請求項５〜８の何れか１項に記載の画像処理装置。
【請求項１０】
前記所定の基準値を、前記送信用映像信号が示すコンテンツを撮影したときの撮影条件、または前記送信用映像信号が示すコンテンツのジャンル、に応じた値に設定する基準値設定部をさらに備えていることを特徴とする、請求項１〜９の何れか１項に記載の画像処理装置。
【請求項１１】
前記所定の基準値は、標準動画像の映像特徴量に準じた値であることを特徴とする、請求項１〜１０の何れか１項に記載の画像処理装置。
【請求項１２】
送信用映像信号におけるパラメータから映像特徴量を算出する算出工程と、
前記算出工程で算出した前記映像特徴量が所定の基準値に近づくように、前記パラメータを調整する調整工程と、を含むことを特徴とする、画像処理方法。
【請求項１３】
請求項１に記載の画像処理装置としてコンピュータを機能させるための制御プログラムであって、前記算出部および前記調整部としてコンピュータを機能させるための制御プログラム。
【請求項１４】
請求項１３に記載の制御プログラムを記録したコンピュータ読み取り可能な記録媒体。
【発明の詳細な説明】
【技術分野】
【０００１】
本発明は、映像信号における輝度値を調整する画像処理装置に関する。
【背景技術】
【０００２】
音声に関する技術では、人が感じる音の大きさであるラウドネスを用いて、コンテンツ毎の音の大きさに対する視聴者の感じ方を均一化する技術が知られている。また、映像に関する技術では、高ダイナミックレンジ（ＨＤＲ）映像等の高輝度の映像を表示することが可能となり、コンテンツ毎で視聴者による明るさの感じ方が大きく変わる機会が多くなってきている。
【先行技術文献】
【特許文献】
【０００３】
【特許文献１】日本国公開特許公報「特開平１０−３２２６２２号公報（１９９８年１２月４日公開）」
【発明の概要】
【発明が解決しようとする課題】
【０００４】
コンテンツ毎で視聴者による明るさの感じ方が大きく変化すると、視聴者の心理的負担が大きくなる場合がある。例えば、番組本編における明るさは、通常の明るさで、番組本編に挿入されるＣＭにおける明るさは、番組本編における明るさよりも大幅に明るい場合、番組本編からＣＭに切り替わったときに、視聴者は、番組本編とＣＭとの明るさの違いに驚いてしまう。また、逆に、ＣＭから番組本編に切り替わったときに、視聴者は、ＣＭの明るさに慣れた後に番組本編を見ることになるため、番組本編に対して、極めて暗い印象を受け、番組本編への感情移入ができない場合がある。【０００５】
本発明は、上記の問題点に鑑みてなされたものであり、その目的は、コンテンツ毎の明るさが大きく変化することを防ぐ技術を提供することである。
【課題を解決するための手段】
【０００６】
上記の課題を解決するために、本発明の一態様に係る画像処理装置は、送信用映像信号におけるパラメータから映像特徴量を算出する算出部と、前記算出部が算出した前記映像特徴量が所定の基準値に近づくように、前記パラメータを調整する調整部と、を備えている。【０００７】
上記の課題を解決するために、本発明の一態様に係る画像処理方法は、送信用映像信号におけるパラメータから映像特徴量を算出する算出工程と、前記算出工程で算出した前記映像特徴量が所定の基準値に近づくように、前記パラメータを調整する調整工程と、を含む。
【発明の効果】
【０００８】
本発明の一態様によれば、コンテンツ毎の明るさに対する視聴者の感じ方が大きく変化することを防ぐことができ、視聴者の無用な心理的負担を軽減することができる。
【図面の簡単な説明】
【０００９】
【図１】本発明の実施形態１に係る画像処理装置の構成を示すブロック図である。
【図２】本発明の実施形態１に係る画像処理方法を説明するフローチャートである。
【図３】本発明の実施形態１における基準値を説明するための図である。
【図４】本発明の実施形態１における基準値を説明するための図である。
【図５】本発明の実施形態１における輝度値を調整する方法を説明するための図である。
【図６】本発明の実施形態２に係る画像処理方法を説明するフローチャートである。
【図７】本発明の実施形態３における所定値以上の輝度値を除外する方法を説明するための図である。
【図８−１】本発明の実施形態３の態様２における感覚輝度値を算出するための疑似コードである。
【図８−２】本発明の実施形態３の態様２における感覚輝度値を算出するための疑似コードである。
【図９】ＭａｘＦＡＬＬを算出するための疑似コードである。
【発明を実施するための形態】
【００１０】
以下、本発明の実施形態について、詳細に説明する。ただし、本実施形態に記載されている構成は、特に特定的な記載がない限り、この発明の範囲をそれのみに限定する趣旨ではなく、単なる説明例に過ぎない。
【００１１】
下記で説明する実施形態では、映像特徴量として、感覚輝度値のうちの１つの指標である平均輝度値を用いた例を示す。
【００１２】
〔実施形態１〕
（画像処理装置１）
本発明の第１の実施形態に係る画像処理装置１について、図１を参照して説明する。図１は、本実施形態に係る画像処理装置１の構成を示すブロック図である。図１が示すように、処理部２、入力部３、および記憶部４を備えている。
【００１３】
処理部２は、映像信号取得部５、算出部６、基準値設定部７、および調整部８を備えている。映像信号取得部５は、送信用映像信号を取得する。
【００１４】
算出部６は、送信用映像信号におけるパラメータから映像特徴量を算出する。より詳細には、算出部６は、映像信号取得部５が取得した送信用映像信号に含まれる複数のフレームにおいて、フレーム毎の平均輝度値である第２の平均輝度値をそれぞれ算出し、当該複数のフレームについて当該第２の平均輝度値を平均することにより、第１の平均輝度値を算出する。
【００１５】
基準値設定部７は、入力部３が受け付けた種々のコンテンツの輝度値、または記憶部４が保持している種々のコンテンツの輝度値を取得し、当該輝度値を参照して基準値を設定する。
【００１６】
調整部８は、算出部６が算出した映像特徴量が所定の基準値に近づくように、パラメータを調整する。より詳細には、調整部８は、基準値設定部７が設定した基準値に、算出部６が算出した第１の平均輝度値が近づくように、送信用映像信号における輝度値を調整する。
【００１７】
入力部３は、外部から、種々のコンテンツの輝度値を受け付ける。記憶部４は、入力部３が受け付けた種々のコンテンツの輝度値を記憶する。
【００１８】
なお、上述の映像特徴量とは、映像の感覚的な明るさを示す指標である。映像特徴量の例として、感覚輝度値等を挙げることができる。感覚輝度値とは、映像信号における輝度値から算出される指標である。感覚輝度値の例として、平均輝度値、最大輝度値、輝度値の中央値、および、ＢＤＡ（Ｂｌｕｅ−ｒａｙ  Ｄｉｓｋ  Ａｓｓｏｃｉａｔｉｏｎ）にて定義された静的メタデータであるＭａｘＦＡＬＬ（Ｍａｘｉｍｕｍ  Ｆｒａｍｅ  Ａｖｅｒａｇｅ  Ｌｉｇｈｔ  Ｌｅｖｅｌ）等を挙げることができる。なお、映像特徴量は、感覚輝度値のように映像信号における輝度値から算出される指標のみではなく、映像信号における色度から算出される指標も含む。また、輝度値の中央値としては、１フレームあたりの輝度値の中央値を複数フレームに亘って平均した平均中央値、および、１フレームあたりの平均輝度値に基づく、複数フレームに亘るヒストグラムの中央値、換言すれば、平均輝度値の経時変化を示すヒストグラムの中央値の何れであってもよい。
【００１９】
（画像処理装置１による画像処理方法）
本実施形態に係る画像処理装置１により実行される画像処理方法を、図２を参照して説明する。図２は、画像処理方法を示すフローチャートである。
【００２０】
まず、映像信号取得部５は、送信用映像信号を取得する（ステップＳ０）。ここで、送信用映像信号は、ＨＤＲ映像信号であり得る。次に、算出部６は、映像信号取得部５が取得した送信用映像信号に含まれる複数のフレームにおいて、フレーム毎の平均輝度値である第２の平均輝度値をそれぞれ算出する（ステップＳ１）。ここにおける複数のフレームは、送信用映像信号に含まれる全てのフレームであってもよいし、送信用映像信号に含まれるシーン毎の複数のフレームであってもよい。ステップＳ１の次に、算出部６は、複数のフレームについて第２の平均輝度値を平均することにより、第１の平均輝度値を算出する（ステップＳ２）。
【００２１】
次に、基準値設定部７は、入力部３または記憶部４を介して、種々のコンテンツの輝度値を取得し、当該輝度値を参照して基準値を設定する。（ステップＳ３）。なお、基準値設定部７は、画像処理装置１の外部で決定された基準値を直接取得してもよい。
【００２２】
なお、ステップＳ０〜Ｓ３におけるステップＳ３の工程の順序は、図２に示される工程の順序に限定されない。
【００２３】
ステップＳ３の次の工程として、調整部８は、基準値設定部７が設定した基準値に、算出部６が算出した第１の平均輝度値が近づくように、送信用映像信号における輝度値を調整する（ステップＳ４）。次に、調整部８は、輝度値を調整した送信用映像信号を出力する（ステップＳ５）。
【００２４】
上記のステップＳ４において、調整部８が輝度値を調整する方法は、任意の方法を用いることができるが、以下で、当該方法の例について、図５を参照して説明する。図５の（ａ）〜（ｃ）は、基準値を調整する方法の例を示す図である。図５の（ａ）〜（ｃ）の各グラフにおいて、横軸は、送信用映像信号のある１フレームにおける調整前の輝度値であり、縦軸は、当該フレームにおける調整後の輝度値である。図５の（ａ）のグラフでは、輝度値の原点と輝度値の最大値とを固定し、ガンマ調整によって、調整前の輝度値と調整後の輝度値とにガンマカーブがかかるように、中間調の輝度値を調整している。図５の（ｂ）のグラフでは、輝度値の原点が固定され、ゲイン調整（コントラスト調整）によって、調整前の輝度値に対する調整後の輝度値にゲインを乗算し、低輝度を潰さずに輝度値を調整している。図５の（ｃ）のグラフでは、オフセット調整ブロック（黒レベル調整）を利用して、調整前の輝度値に対する調整後の輝度値にオフセットを加算し、中間の輝度値の階調性を変化させずに輝度値を調整している。調整部８は、図５（ａ）〜（ｃ）の例のように、輝度値をガンマ調整、ゲイン調整またはオフセット調整によって調整することにより、第１の平均輝度値を基準値に近づける。これにより、視聴者に違和感を与えることなく、コンテンツの輝度値を調整することができる。
（基準値の設定例）
以下で、本明細書における基準値の例について、図３および４を参照して説明する。図３の（ａ）〜（ｂ）は、送信用映像信号が示すコンテンツを撮影したときの撮影条件に応じて基準値を設定する方法を説明するための図である。図３の（ａ）は、撮影条件として、撮影場所が屋外であり、天候が晴れである撮影対象を示している。当該撮影条件におけるコンテンツを示す送信用映像信号に対して、基準値を３００ｎｉｔに設定する。図３の（ｂ）は、撮影条件として、撮影場所が屋外であり、天候が曇りである撮影対象を示している。当該撮影条件におけるコンテンツを示す送信用映像信号に対して、基準値を２００ｎｉｔに設定する。図３の（ｃ）は、撮影条件として、撮影場所が屋内である撮影対象を示している。当該撮影条件におけるコンテンツを示す送信用映像信号に対して、基準値を１００ｎｉｔに設定する。図３の（ｄ）は、撮影条件として、撮影場所がスタジオである撮影対象を示している。当該撮影条件におけるコンテンツを示す送信用映像信号に対して、基準値を２００ｎｉｔに設定する。基準値設定部７が撮影条件に応じた基準値を設定する方法として、任意の方法を用いることができるが、当該方法の一例として、同一の撮影条件におけるコンテンツを示す静止画像を集め、それらの静止画像の平均輝度値を平均した値を基準値として設定する方法が挙げられる。
【００２５】
また、図４の（ａ）〜（ｂ）は、送信用映像信号が示すコンテンツのジャンルに応じて基準値を設定する方法を説明するための図である。図４の（ａ）は、ジャンルが映画であるコンテンツの例を示している。当該ジャンルのコンテンツを示す送信用映像信号に対して、基準値を２００ｎｉｔ以下の値に設定する。図４の（ｂ）は、ジャンルがドラマであるコンテンツの例を示している。当該ジャンルのコンテンツを示す送信用映像信号に対して、基準値を３００ｎｉｔ以下の値に設定する。図４の（ｃ）は、ジャンルがバラエティであるコンテンツの例を示している。当該ジャンルのコンテンツを示す送信用映像信号に対して、基準値を３００ｎｉｔに設定する。図４の（ｄ）は、ジャンルがニューズであるコンテンツの例を示している。当該ジャンルのコンテンツを示す送信用映像信号に対して、基準値を２００ｎｉｔに設定する。基準値設定部７がジャンルに応じた基準値を設定する方法として、任意の方法を用いることができるが、当該方法の一例として、同一のジャンルのコンテンツを示す映像信号を集め、それらの映像信号におけるフレーム毎の平均輝度値を平均した値を基準値として設定する方法が挙げられる。
【００２６】
上記のように、本実施形態に係る画像処理装置１は、基準値を、送信用映像信号が示すコンテンツを撮影したときの撮影条件、または送信用映像信号が示すコンテンツのジャンル、に応じた値に設定する。そして、そのような基準値に第１の平均輝度値が近づくように、送信用映像信号における輝度値を調整することにより、送信用映像信号を受信した受信機側において、コンテンツの種類に適した明るさで、コンテンツを表示することができる。
【００２７】
（基準値の種々の例）
また、基準値として、標準的な映像としてシステム評価に用いる標準動画像の映像特徴量に準じた値を用いることもできる。ここで、「標準動画像の映像特徴量に準じた値」とは、標準動画像の映像特徴量の値そのものであってもよいし、標準動画像の映像特徴量の値との差が、所定の範囲内に収まる値であってもよい。ここで、所定の範囲としては、例えば、標準動画像の映像特徴量の値の１０％程度を用いることができるが、これは本実施形態を限定するものではない。また、標準動画像の例としては、ＩＴＲもしくはＪＥＩＴＡから得られる標準動画像、または、試験放送で用いられるテストパターン等が挙げられる。放送事業者は、標準動画像を参考にコンテンツを作成するため、標準動画像の映像特徴量は、基準値として好適である。
【００２８】
また、基準値は、多くのコンテンツの映像特徴量を平均した値であり得る。その場合、極端な映像特徴量の値を排除出来るので好適である。基準値を設定するために、無差別にコンテンツの映像特徴量を集計してもよいし、また、コンテンツを撮影したときの撮影条件、またはコンテンツのジャンル、に応じた値を、基準値としてもよい。基準値を、コンテンツを撮影したときの撮影条件毎に設定する場合は、撮影条件を、スタジオ、屋外、および室内等に分け、撮影条件毎に、それらのコンテンツの映像特徴量の平均をそれぞれ求めた値を基準値としてもよい。
【００２９】
また、視聴上、多くの人が不快さを感じない映像特徴量の値を基準値としてもよい。映像特徴量が輝度である場合、例えば、基準値を、多くの人がまぶしさを感じない最も高い輝度に設定することが考えられる。
【００３０】
また、コンテンツの映像特徴量の平均を取る際に、ＣＭを除くこともできる。なお、映像特徴量の一例は、輝度である。
【００３１】
（実施形態１のまとめ）
以上のように、本実施形態に係る画像処理装置１は、送信用映像信号における輝度値（パラメータ）から第１の平均輝度値（映像特徴量）を算出し、第１の平均輝度値（映像特徴量）が所定の基準値に近づくように、送信用映像信号における輝度値を調整する。これにより、輝度値が調整された送信用映像信号を受信した受信機側において、コンテンツ毎の明るさが大きく変化することを防ぐことができ、視聴者の無用な心理的負担を軽減することができる。
【００３２】
〔実施形態２〕
本発明の実施形態２について説明すれば、以下のとおりである。なお、本実施形態では、実施形態１で説明した画像処理装置１を用いることができる。そのため、画像処理装置１における各部材については、その説明を省略する。
【００３３】
本実施形態に係る画像処理装置１の画像処理方法は、実施形態１に係る画像処理装置１の画像処理方法の各工程と、ステップＳ１１、Ｓ１２およびＳ１４の工程のみが異なる。そのため、下記では、実施形態１に係る画像処理方法のステップＳ１、Ｓ２およびＳ４に対応するステップＳ１１、Ｓ１２およびＳ１４の工程以外の工程についての詳細な説明は省略する。
【００３４】
本実施形態に係る画像処理方法では、コンテンツを撮影することにより取得した送信用映像信号における輝度値を、逐次、調整する状況を想定している。本実施形態に係る画像処理方法を、図６を参照して説明する。図６は、本実施形態に係る画像処理方法を示すフローチャートである。まず、映像信号取得部５は、送信用映像信号を取得する（ステップＳ１０）。次に、算出部６は、連続した複数のフレームにおいて、フレーム毎の平均輝度値である第２の平均輝度値を算出する（ステップＳ１１）。ここにおける連続したフレームの数は、任意の数である。例えば、映像信号取得部５が取得した送信用映像信号における輝度値に即対応して、後に映像信号取得部５が取得する送信用映像信号における輝度値を調整する必要がある場合、第２の平均輝度値を算出するために参照するフレームの数を少なくすればよい。
【００３５】
ステップＳ１１の次に、算出部６は、第２の平均輝度値の移動平均値を算出することにより、第１の平均輝度値を算出する（ステップＳ１２）。ここで、第２の平均輝度値の移動平均値を算出するために参照する第２の平均移動値の数は、任意の数である。例えば、映像信号取得部５が取得した送信用映像信号における輝度値に即対応して、後に映像信号取得部５が取得する送信用映像信号における輝度値を調整する必要がある場合、第２の平均輝度値の移動平均値を算出するために参照する第２の平均輝度値の数を少なくすればよい。
【００３６】
ステップＳ１２の次に、基準値設定部７は、入力部３または記憶部４を介して、種々のコンテンツの輝度値を取得し、当該輝度値を参照して基準値を設定する（ステップＳ１３）。ステップＳ１０〜Ｓ１３におけるステップＳ１３の工程の順序は、図２に示される工程の順序に限定されない。次に、調整部８は、算出部６が算出した第１の平均輝度値が基準値に近づくように、算出部６が第２の平均輝度値を算出するために参照した連続した複数のフレームの後のフレームにおける輝度値を調整する（ステップＳ１４）。例えば、映像信号取得部５が取得した送信用映像信号における輝度値に即対応して、後に映像信号取得部５が取得する送信用映像信号における輝度値を調整する必要がある場合、ここにおける複数のフレームの後のフレームは、複数のフレームの直後のフレームであり得る。ステップＳ１４の次に、調整部８は、輝度値を調整した送信用映像信号を出力する（ステップＳ１５）。
【００３７】
以上のように、本実施形態に係る画像処理装置１は、連続した複数のフレームにおいて、フレーム毎の平均輝度値である第２の平均輝度値を算出し、第２の平均輝度値の移動平均値を算出することにより、第１の平均輝度値を算出する。そして、本実施形態に係る画像処理装置１は、第１の平均輝度値が基準値に近づくように、連続した複数のフレームの後のフレームにおける輝度値を調整する。これにより、連続したフレームにおける輝度値に応じて、当該フレームの後のフレームにおける輝度値を、逐次、調整することができる。
【００３８】
〔実施形態３〕
本発明の実施形態３について説明すれば、以下のとおりである。なお、本実施形態では、実施形態１で説明した画像処理装置１を用いることができる。そのため、画像処理装置１における各部材については、その説明を省略する。
【００３９】
実施形態１および２に係る画像処理方法では、それぞれ、ステップＳ１およびステップＳ１１において、算出部６は、送信用映像信号に含まれる複数のフレームにおいて、フレーム毎の平均輝度値である第２の平均輝度値を算出した。本実施形態では、算出部６は、１フレームあたりのフレーム輝度値を算出する際、所定の閾値以上の輝度を有する領域を除外して、当該フレーム輝度値を算出する。一例として、表示パネルの表示可能最大輝度が１０００ｎｉｔであり、所定の閾値を２００ｎｉｔとした場合の算出部６の処理について図７を参照して説明する。図７の（ａ）〜（ｄ）は、所定値以上の輝度値を除外する方法を説明するための図である。
【００４０】
図７の（ａ）および（ｂ）に示す例では、ラインＬ１に沿った輝度において、２００ｎｉｔを超える輝度値が存在する。算出部６は、図７の（ａ）に示すラインＬ１に沿って輝度値の平均を算出しようとする場合、所定の輝度値である２００ｎｉｔ以上の高輝度領域については、当該領域の輝度値を用いることなく、第２の平均輝度値を算出する。
【００４１】
より具体的には、算出部６は、図７（ｃ）に示すように、所定の閾値以上の輝度値を有する領域を除外領域とし、図７（ｄ）に示すように、当該除外領域に含まれる輝度を第２の平均輝度値の算出に用いない。換言すれば、算出部６は、除外領域以外の領域に含まれる輝度値を参照して、第２の平均輝度値を算出する。
【００４２】
以上のように、本実施形態に係る画像処理装置１は、複数のフレームにおける輝度値から、所定値以上の輝度値を除外して第２の平均輝度値を算出する。これにより、大幅に高い輝度値の影響を受けることなく、平均輝度値を算出することができる。
【００４３】
〔実施形態４〕
本実施形態では、複数のフレームにおける輝度値から、所定値以上の輝度値を除外して第２の平均輝度値を算出する方法の別の例を示す。本態様では、算出部６は、黒画面（平均輝度が閾値Ｂｋ以下の画面）、及び白画面（平均輝度が閾値Ｗｔ（Ｂｋ＜Ｗｔ）以上の画面）のうち少なくともいずれか一方を除外することにより、第２の平均輝度値を算出する。
【００４４】
図８に、算出部６が本実施形態の態様２に係る感覚輝度値を算出するための疑似コードを示す。図８に示すように、算出部６は、あるフレームにおけるアクティブ画像領域（ａｃｔｉｖｅ  ｉｍａｇｅ  ａｒｅａ）に含まれる１画素毎に、当該ピクセルの線形輝度値Ｙ（ｌｉｎｅａｒ  ｌｕｍｉｎａｎｃｅ  ｖａｌｕｅ  Ｙ）を算出する。なお、アクティブ画像領域とは、例えば、対象のフレームから所定の輝度値以上の領域を除外することによって得られる領域のことを指すが、これに限定されるものではなく、適宜設定することもできる。線形輝度値Ｙの算出は、図８の点線枠内に示した疑似コードによって行う。より具体的には、算出部６は、当該画素の画素値（Ｒｉｎ，Ｇｉｎ，Ｂｉｎ）に対してＥＯＴＦ（Ｅｌｅｃｔｒｏ−Ｏｐｔｉｃａｌ  Ｔｒａｎｓｆｅｒ  Ｆｕｎｃｔｉｏｎ）変換を適用することにより、輝度値（Ｒ，Ｇ，Ｂ）を算出し、さらに、下記の式、
Ｙ  ＝  ０．２６２７Ｒ  ＋  ０．６７８０Ｇ  ＋  ０．０５９３Ｂ
にＲ、Ｇ、およびＢを代入することにより輝度値Ｙを算出する。
【００４５】
そして、算出部６は、図８に示すように、アクティブ領域に含まれる全ての画素の輝度値Ｙの平均を当該フレームにおける平均輝度ｆｌａｍｅＡｖｅｒａｇｅＬｕｍｉｎａｎｃｅとして設定する。
【００４６】
さらに、算出部６は、図８に示すように、映像シーケンスに含まれる全てのフレームのうち、黒画面（平均輝度が閾値Ｂｋ以下の画面）、及び白画面（平均輝度が閾値Ｗｔ（Ｂｋ＜Ｗｔ）以上の画面）のうち少なくともいずれか一方を除外したうえで、平均輝度ｆｌａｍｅＡｖｅｒａｇｅＬｕｍｉｎａｎｃｅの平均を取ることにより、対象映像の感覚輝度値を算出する。なお、閾値Ｂｋ（第１の閾値）及びＷｔ（第２の閾値）の具体的値は本実施形態を限定するものではないが、例えばＢｋ＝５０、Ｗｔ＝２０００とすればよい。
【００４７】
以上のように、本実施形態に係る画像処理装置１は、実施形態３に係る画像処理装置１と同様に、複数のフレームにおける輝度値から、所定値以上の輝度値を除外して第２の平均輝度値を算出する。これにより、大幅に高い輝度値の影響を受けることなく、平均輝度値を算出することができる。
【００４８】
〔実施形態５〕
実施形態１〜４では、感覚輝度値が第１の平均輝度値であり、画像処理装置１は、第１の平均輝度値を算出し、当該第１の平均輝度値が基準値に近づくように、送信用映像信号における輝度値を調整した。しかし、感覚輝度値は、最大フレーム平均輝度（以下、ＭａｘＦＡＬＬ）であってもよく、画像処理装置１は、ＭａｘＦＡＬＬを算出し、当該ＭａｘＦＡＬＬが基準値に近づくように、送信用映像信号における輝度値を調整してもよい。以下で、ＭａｘＦＡＬＬについて詳細に説明する。
【００４９】
ＭａｘＦＡＬＬとは、映像を構成する全フレーム中の平均輝度の最大値である。図９に、算出部６がＭａｘＦＡＬＬを算出するための疑似コードを示す。図９に示すように、算出部６は、あるフレームにおけるアクティブ画像領域（ａｃｔｉｖｅ  ｉｍａｇｅ  ａｒｅａ）に含まれる１画素毎に、非線形画素値である（Ｒ’，Ｇ’，Ｂ’）を、ｃｄ／ｍ２（カンデラ毎平方メートル）を単位とする線形輝度値である（Ｒ，Ｇ，Ｂ）に変換する。そして（Ｒ，Ｇ，Ｂ）のうちの最大値を、当該画素における最大輝度値（ｍａｘＲＧＢ）として設定する。
【００５０】
そして、算出部６は、アクティブ領域に含まれる全ての画素の最大輝度値ｍａｘＲＧＢの平均を当該フレームにおける平均輝度値（ｆｌａｍｅＡｖｅｒａｇｅＬｉｇｈｔＬｅｖｅｌ）として設定する。
【００５１】
さらに、算出部６は、映像シーケンスに含まれる全てのフレームの平均輝度値のうち、最大の平均輝度値をＭａｘＦＡＬＬに設定し、このＭａｘＦＡＬＬを、対象映像の感覚輝度値に設定する。
【００５２】
そして、調整部８は、算出部６が算出したＭａｘＦＡＬＬが所定の基準値に近づくように、送信用映像信号における輝度値を調整する。
【００５３】
〔ソフトウェアによる実現例〕
画像処理装置１の制御ブロック（特に処理部２における映像信号取得部５、算出部６、基準値設定部７および調整部８）は、集積回路（ＩＣチップ）等に形成された論理回路（ハードウェア）によって実現してもよいし、ＣＰＵ（Central Processing Unit）を用いてソフトウェアによって実現してもよい。
【００５４】
後者の場合、画像処理装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５５】
〔付記事項〕
本明細書において、「算出」とは、導出、演算、計算、および誘導等を含む。
【００５６】
また、本明細書において、「調整」とは、修正、調節、適応、補正、および設定等を含む。
【００５７】
また、本明細書における「感覚輝度値」とは、視覚輝度、視覚補正輝度、感性輝度、官能輝度等を含む。
【００５８】
〔まとめ〕
本発明の態様１に係る画像処理装置（１）は、送信用映像信号におけるパラメータから映像特徴量を算出する算出部（６）と、前記算出部が算出した前記映像特徴量が所定の基準値に近づくように、前記パラメータを調整する調整部（８）と、を備えている。
【００５９】
上記の構成によれば、輝度値が調整された送信用映像信号を受信した受信機側において、コンテンツ毎の明るさが大きく変化することを防ぐことができ、視聴者の無用な心理的負担を軽減することができる。
【００６０】
本発明の態様２に係る画像処理装置（１）は、上記態様１において、前記パラメータは、輝度値であり、前記映像特徴量は、感覚輝度値である。
【００６１】
上記の構成によれば、態様１に係る画像処理装置と同様の効果を奏する。
【００６２】
本発明の態様３に係る画像処理装置（１）は、上記態様２において、前記算出部は、前記感覚輝度値を、前記送信用映像信号の平均輝度値、最大輝度値、輝度値の中央値、およびＭＡＸＦＡＬＬの少なくとも何れかを参照して算出する。
【００６３】
上記の構成によれば、態様２に係る画像処理装置と同様の効果を奏する。
【００６４】
本発明の態様４に係る画像処理装置（１）は、前記算出部は、前記送信用映像信号の表す表示映像のうち、平均輝度値が第１の閾値以下の画面と、平均輝度値が第２の閾値以上の画面と、のうち少なくともいずれか一方を除外して、前記感覚輝度値を算出する。
【００６５】
本発明の態様５に係る画像処理装置（１）は、上記態様２〜４において、前記感覚輝度値は、第１の平均輝度値である。
【００６６】
上記の構成によれば、態様２〜４に係る画像処理装置を好適に用いることができる。
【００６７】
本発明の態様６に係る画像処理装置（１）は、上記態様５において、前記算出部は、前記送信用映像信号に含まれる複数のフレームにおいて、フレーム毎の平均輝度値である第２の平均輝度値をそれぞれ算出し、前記複数のフレームについて前記第２の平均輝度値を平均することにより、前記第１の平均輝度値を算出する。
【００６８】
上記の構成によれば、送信用映像信号に含まれる各フレーム毎の平均輝度値に応じた第１の平均輝度値を算出し、当該第１の平均輝度値が所定の基準値に近づくように、輝度値を調整する。これにより、各フレーム毎の平均輝度値に応じて、輝度値を調整することができる。
【００６９】
本発明の態様７に係る画像処理装置（１）は、上記態様５において、前記算出部は、連続した複数のフレームにおいて、フレーム毎の平均輝度値である第２の平均輝度値を算出し、前記第２の平均輝度値の移動平均値を算出することにより、前記第１の平均輝度値を算出し、前記調整部は、前記算出部が算出した前記第１の平均輝度値が前記所定の基準値に近づくように、前記連続した複数のフレームの後のフレームにおける輝度値を調整する。
【００７０】
上記の構成によれば、連続したフレームにおける輝度値に応じて、前記フレームの後のフレームにおける輝度値を、逐次、調整することができる。
【００７１】
本発明の態様８に係る画像処理装置（１）は、上記態様６または７において、前記算出部は、前記複数のフレームにおける輝度値から、所定値以上の輝度値を除外して第２の平均輝度値を算出する。
【００７２】
上記の構成によれば、大幅に高い輝度値の影響を受けることなく、平均輝度値を算出することができ、当該平均輝度値が所定の基準値に近づくように、輝度値を調整する。これにより、大幅に高い輝度値の影響を受けることなく、輝度値を調整することができる。
【００７３】
本発明の態様９に係る画像処理装置（１）は、上記態様５〜８において、前記調整部は、前記算出部が算出した前記第１の平均輝度値が所定の基準値に近づくように、ガンマ調整、ゲイン調整およびオフセット調整の少なくとも何れかにより、前記輝度値を調整する。
【００７４】
上記の構成によれば、視聴者に違和感を与えることなく、コンテンツの輝度値を調整することができる。
【００７５】
本発明の態様１０に係る画像処理装置（１）は、上記態様１〜９において、前記所定の基準値を、前記送信用映像信号が示すコンテンツを撮影したときの撮影条件、または前記送信用映像信号が示すコンテンツのジャンル、に応じた値に設定する基準値設定部（７）をさらに備えている。
【００７６】
上記の構成によれば、設定した基準値に映像特徴量が近づくように、送信用映像信号における輝度値を調整することにより、送信用映像信号を受信した受信機側において、コンテンツの種類に適した明るさで、コンテンツを表示することができる。
【００７７】
本発明の態様１１に係る画像処理装置（１）は、上記態様１〜１０において、前記所定の基準値は、標準動画像の映像特徴量に準じた値である。
【００７８】
上記の構成によれば、上記態様１〜１０に係る画像処理装置を好適に用いることができる。
【００７９】
本発明の態様１２に係る画像処理方法は、送信用映像信号におけるパラメータから映像特徴量を算出する算出工程と、前記算出工程で算出した前記映像特徴量が所定の基準値に近づくように、前記パラメータを調整する調整工程と、を含む。
【００８０】
上記の構成によれば、態様１に係る画像処理装置と同様の効果を奏する。
【００８１】
本発明の態様１４に係る画像処理装置（１）は、送信用映像信号におけるパラメータに応じた映像特徴量が所定の基準値に近づくように、前記パラメータを調整する。
【００８２】
上記の構成によれば、態様１に係る画像処理装置と同様の効果を奏する。
【００８３】
本発明の態様１５に係る画像処理装置（１）は、上記態様１４において、前記パラメータは、輝度値であり、前記映像特徴量は、感覚輝度値である。
【００８４】
上記の構成によれば、態様２に係る画像処理装置と同様の効果を奏する。
【００８５】
本発明の態様１６に係る画像処理装置（１）は、上記態様１５において、前記感覚輝度値を、前記送信用映像信号の平均輝度値、最大輝度値、輝度値の中央値、およびＭＡＸＦＡＬＬの少なくとも何れかを参照して算出する。
【００８６】
上記の構成によれば、態様３に係る画像処理装置と同様の効果を奏する。
【００８７】
本発明の態様１７に係る画像処理装置（１）は、上記態様１５または１６において、前記送信用映像信号の表す表示映像のうち、平均輝度値が第１の閾値以下の画面と、平均輝度値が第２の閾値以上の画面と、のうち少なくともいずれか一方を除外して、前記感覚輝度値を算出する。
【００８８】
上記の構成によれば、態様４に係る画像処理装置と同様の効果を奏する。
【００８９】
本発明の態様１８に係る画像処理装置（１）は、上記態様１５〜１７において、前記感覚輝度値は、第１の平均輝度値であることを特徴とする、請求項１５〜１７の何れか１項に記載の画像処理装置。
【００９０】
上記の構成によれば、態様５に係る画像処理装置と同様の効果を奏する。
【００９１】
本発明の態様１９に係る画像処理装置（１）は、上記態様１８において、前記送信用映像信号に含まれる複数のフレームにおいて、フレーム毎の平均輝度値である第２の平均輝度値をそれぞれ算出し、前記複数のフレームについて前記第２の平均輝度値を平均することにより、前記第１の平均輝度値を算出する。
【００９２】
上記の構成によれば、態様６に係る画像処理装置と同様の効果を奏する。
【００９３】
本発明の態様２０に係る画像処理装置（１）は、上記態様１８において、連続した複数のフレームにおいて、フレーム毎の平均輝度値である第２の平均輝度値を算出し、前記第２の平均輝度値の移動平均値を算出することにより、前記第１の平均輝度値を算出し、算出した前記第１の平均輝度値が前記所定の基準値に近づくように、前記連続した複数のフレームの後のフレームにおける輝度値を調整する。
【００９４】
上記の構成によれば、態様７に係る画像処理装置と同様の効果を奏する。
【００９５】
本発明の態様２１に係る画像処理装置（１）は、上記態様１９または２０において、前記複数のフレームにおける輝度値から、所定値以上の輝度値を除外して第２の平均輝度値を算出する。
【００９６】
上記の構成によれば、態様８に係る画像処理装置と同様の効果を奏する。
【００９７】
本発明の態様２２に係る画像処理装置（１）は、上記態様１８〜２１において、算出した前記第１の平均輝度値が所定の基準値に近づくように、ガンマ調整、ゲイン調整およびオフセット調整の少なくとも何れかにより、前記輝度値を調整する。
【００９８】
上記の構成によれば、態様９に係る画像処理装置と同様の効果を奏する。
【００９９】
本発明の態様２３に係る画像処理装置（１）は、上記態様１４〜２２において、前記所定の基準値を、前記送信用映像信号が示すコンテンツを撮影したときの撮影条件、または前記送信用映像信号が示すコンテンツのジャンル、に応じた値に設定する。
【０１００】
上記の構成によれば、態様１０に係る画像処理装置と同様の効果を奏する。
【０１０１】
本発明の各態様に係る画像処理装置は、コンピュータによって実現してもよく、この場合には、コンピュータを前記画像処理装置が備える各部（ソフトウェア要素）として動作させることにより前記画像処理装置をコンピュータにて実現させる画像処理装置の画像処理装置制御プログラム、およびそれを記録したコンピュータ読み取り可能な記録媒体も、本発明の範疇に入る。
【０１０２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０３】
１  画像処理装置
２  処理部
３  入力部
４  記憶部
５  映像信号取得部
６  算出部
７  基準値設定部
８  調整部
【図１】
2018003665.tif 000003
【図２】
2018003665.tif 000004
【図３】
2018003665.tif 000005
【図４】
2018003665.tif 000006
【図５】
2018003665.tif 000007
【図６】
2018003665.tif 000008
【図７】
2018003665.tif 000009
【図８−１】
2018003665.tif 000010
【図８−２】
2018003665.tif 000011
【図９】
2018003665.tif 000012
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
送信用映像信号におけるパラメータから映像特徴量を算出する算出部と、
前記算出部が算出した前記映像特徴量が所定の基準値に近づくように、前記パラメータを調整する調整部と、を備えており、
前記所定の基準値は、１又は複数の動画像の映像特徴量に準じた値であることを特徴とする、画像処理装置。
【請求項２】
前記パラメータは、輝度値であり、
前記映像特徴量は、感覚輝度値であることを特徴とする、請求項１に記載の画像処理装置。
【請求項３】
前記算出部は、前記感覚輝度値を、前記送信用映像信号の平均輝度値、最大輝度値、輝度値の中央値、およびＭＡＸＦＡＬＬの少なくとも何れかを参照して算出することを特徴とする、請求項２に記載の画像処理装置。
【請求項４】
前記算出部は、前記送信用映像信号の表す表示映像のうち、
平均輝度値が第１の閾値以下の画面と、
平均輝度値が第２の閾値以上の画面と、
のうち少なくともいずれか一方を除外して、前記感覚輝度値を算出することを特徴とする請求項２または３に記載の画像処理装置。
【請求項５】
前記感覚輝度値は、第１の平均輝度値であることを特徴とする、請求項２〜４の何れか１項に記載の画像処理装置。
【請求項６】
前記算出部は、前記送信用映像信号に含まれる複数のフレームにおいて、フレーム毎の平均輝度値である第２の平均輝度値をそれぞれ算出し、前記複数のフレームについて前記第２の平均輝度値を平均することにより、前記第１の平均輝度値を算出することを特徴とする、請求項５に記載の画像処理装置。
【請求項７】
前記算出部は、連続した複数のフレームにおいて、フレーム毎の平均輝度値である第２の平均輝度値を算出し、前記第２の平均輝度値の移動平均値を算出することにより、前記第１の平均輝度値を算出し、
前記調整部は、前記算出部が算出した前記第１の平均輝度値が前記所定の基準値に近づくように、前記連続した複数のフレームの後のフレームにおける輝度値を調整することを特徴とする、請求項５に記載の画像処理装置。
【請求項８】
前記算出部は、前記複数のフレームにおける輝度値から、所定値以上の輝度値を除外して第２の平均輝度値を算出することを特徴とする、請求項６または７に記載の画像処理装置。
【請求項９】
前記調整部は、前記算出部が算出した前記第１の平均輝度値が所定の基準値に近づくように、ガンマ調整、ゲイン調整およびオフセット調整の少なくとも何れかにより、前記輝度値を調整する、請求項５〜８の何れか１項に記載の画像処理装置。
【請求項１０】
前記所定の基準値を、前記送信用映像信号が示すコンテンツを撮影したときの撮影条件、または前記送信用映像信号が示すコンテンツのジャンル、に応じた値に設定する基準値設定部をさらに備えていることを特徴とする、請求項１〜９の何れか１項に記載の画像処理装置。
【請求項１１】
前記所定の基準値は、標準動画像の映像特徴量に準じた値であることを特徴とする、請求項１〜１０の何れか１項に記載の画像処理装置。
【請求項１２】
送信用映像信号におけるパラメータから映像特徴量を算出する算出工程と、
前記算出工程で算出した前記映像特徴量が所定の基準値に近づくように、前記パラメータを調整する調整工程と、を含み、
前記所定の基準値は、１又は複数の動画像の映像特徴量に準じた値であることを特徴とする、画像処理方法。
【請求項１３】
請求項１に記載の画像処理装置としてコンピュータを機能させるための制御プログラムであって、前記算出部および前記調整部としてコンピュータを機能させるための制御プログラム。
【請求項１４】
請求項１３に記載の制御プログラムを記録したコンピュータ読み取り可能な記録媒体。
【手続補正２】
【補正対象書類名】明細書
【補正対象項目名】００２４
【補正方法】変更
【補正の内容】
【００２４】
上記のステップＳ４において、調整部８が輝度値を調整する方法は、任意の方法を用いることができるが、以下で、当該方法の例について、図５を参照して説明する。図５の（ａ）〜（ｃ）は、基準値を調整する方法の例を示す図である。図５の（ａ）〜（ｃ）の各グラフにおいて、横軸は、送信用映像信号のある１フレームにおける調整前の輝度値であり、縦軸は、当該フレームにおける調整後の輝度値である。図５の（ａ）のグラフでは、輝度値の原点と輝度値の最大値とを固定し、ガンマ調整によって、調整前の輝度値と調整後の輝度値とにガンマカーブがかかるように、中間調の輝度値を調整している。図５の（ｂ）のグラフでは、輝度値の原点が固定され、ゲイン調整（コントラスト調整）によって、調整前の輝度値に対する調整後の輝度値にゲインを乗算し、低輝度を潰さずに輝度値を調整している。図５の（ｃ）のグラフでは、オフセット調整ブロック（黒レベル調整）を利用して、調整前の輝度値に対する調整後の輝度値にオフセットを加算し、中間の輝度値の階調性を変化させずに輝度値を調整している。調整部８は、図５（ａ）〜（ｃ）の例のように、輝度値をガンマ調整、ゲイン調整またはオフセット調整によって調整することにより、第１の平均輝度値を基準値に近づける。これにより、視聴者に違和感を与えることなく、コンテンツの輝度値を調整することができる。
（基準値の設定例）
以下で、本明細書における基準値の例について、図３および４を参照して説明する。図３の（ａ）〜（ｄ）は、送信用映像信号が示すコンテンツを撮影したときの撮影条件に応じて基準値を設定する方法を説明するための図である。図３の（ａ）は、撮影条件として、撮影場所が屋外であり、天候が晴れである撮影対象を示している。当該撮影条件におけるコンテンツを示す送信用映像信号に対して、基準値を３００ｎｉｔに設定する。図３の（ｂ）は、撮影条件として、撮影場所が屋外であり、天候が曇りである撮影対象を示している。当該撮影条件におけるコンテンツを示す送信用映像信号に対して、基準値を２００ｎｉｔに設定する。図３の（ｃ）は、撮影条件として、撮影場所が屋内である撮影対象を示している。当該撮影条件におけるコンテンツを示す送信用映像信号に対して、基準値を１００ｎｉｔに設定する。図３の（ｄ）は、撮影条件として、撮影場所がスタジオである撮影対象を示している。当該撮影条件におけるコンテンツを示す送信用映像信号に対して、基準値を２００ｎｉｔに設定する。基準値設定部７が撮影条件に応じた基準値を設定する方法として、任意の方法を用いることができるが、当該方法の一例として、同一の撮影条件におけるコンテンツを示す静止画像を集め、それらの静止画像の平均輝度値を平均した値を基準値として設定する方法が挙げられる。
【手続補正３】
【補正対象書類名】明細書
【補正対象項目名】００２５
【補正方法】変更
【補正の内容】
【００２５】
また、図４の（ａ）〜（ｄ）は、送信用映像信号が示すコンテンツのジャンルに応じて基準値を設定する方法を説明するための図である。図４の（ａ）は、ジャンルが映画であるコンテンツの例を示している。当該ジャンルのコンテンツを示す送信用映像信号に対して、基準値を２００ｎｉｔ以下の値に設定する。図４の（ｂ）は、ジャンルがドラマであるコンテンツの例を示している。当該ジャンルのコンテンツを示す送信用映像信号に対して、基準値を３００ｎｉｔ以下の値に設定する。図４の（ｃ）は、ジャンルがバラエティであるコンテンツの例を示している。当該ジャンルのコンテンツを示す送信用映像信号に対して、基準値を３００ｎｉｔに設定する。図４の（ｄ）は、ジャンルがニューズであるコンテンツの例を示している。当該ジャンルのコンテンツを示す送信用映像信号に対して、基準値を２００ｎｉｔに設定する。基準値設定部７がジャンルに応じた基準値を設定する方法として、任意の方法を用いることができるが、当該方法の一例として、同一のジャンルのコンテンツを示す映像信号を集め、それらの映像信号におけるフレーム毎の平均輝度値を平均した値を基準値として設定する方法が挙げられる。
【手続補正４】
【補正対象書類名】明細書
【補正対象項目名】００８９
【補正方法】変更
【補正の内容】
【００８９】
本発明の態様１８に係る画像処理装置（１）は、上記態様１５〜１７において、前記感覚輝度値は、第１の平均輝度値である。
【国際調査報告】
2018003665.tif 000013
2018003665.tif 000014
2018003665.tif 000015
2018003665.tif 000016